(57)【要約】【課題】窓付き扉のガラスが結露することを抑制するとともに、貯蔵庫庫内を視認可能な範囲を広げることのできる窓付き扉を提供する。【解決手段】貯蔵庫１に備えられる窓付き扉１０であって、開口窓部２０を備える本体２２と、開口窓部２０に設けられ、内部４辺に補強用スペーサ３６を備え、庫内を視認可能な複層ガラス３０と、複層ガラス３０の庫外側に設けられる第１パッキン３２Ａと、複層ガラス３０の庫内側に設けられる第２パッキン３４と、を備え、第１パッキン３２Ａは、補強用スペーサ３６と重ならない位置に配置され、第２パッキン３４は、第１パッキン３２Ａよりも開口窓部２０の左外周端２０Ａ側の位置に配置した。【選択図】図２
2019007685.tif 000002
【特許請求の範囲】
【請求項１】
貯蔵庫に備えられる窓付き扉であって、
開口窓部を備える本体と、
前記開口窓部に設けられ、内部の端部に補強用スペーサを備え、庫内を視認可能な複層ガラスと、
前記複層ガラスの庫外側に設けられる第１パッキンと、
前記複層ガラスの庫内側に設けられる第２パッキンと、を備え、
前記第１パッキンは、前記補強用スペーサと重ならない位置に配置され、
前記第２パッキンは、前記第１パッキンよりも前記開口窓部の外周端側の位置に配置されることを特徴とする窓付き扉。
【請求項２】
前記第１パッキンおよび前記第２パッキンは、
前記本体の左右方向または上下方向を基準として、
前記開口窓部の外周端から前記本体の外周端までの第１最短直線距離と、前記第１最短直線距離と逆側における前記開口窓部の外周端から前記本体の外周端までの第２最短直線距離と、のうち長いほうの距離を備える側に備えられることを特徴とする請求項１に記載の窓付き扉。
【請求項３】
前記本体は、取っ手を備え、
前記第１パッキンおよび前記第２パッキンは、前記取っ手の備えられる側に備えられることを特徴とする請求項１または請求項２に記載の窓付き扉。
【請求項４】
前記第１パッキンおよび前記第２パッキンは、隣り合う別の窓付き扉が存在する側に備えられることを特徴とする請求項１から請求項３の何れか一項に記載の窓付き扉。
【請求項５】
窓付き扉を備える業務用冷蔵庫であって、
前記窓付き扉は、
開口窓部を備える本体と、
前記開口窓部に設けられ、内部の端部に補強用スペーサを備え、庫内を視認可能な複層ガラスと、
前記複層ガラスの庫外側に設けられる第１パッキンと、
前記複層ガラスの庫内側に設けられる第２パッキンと、を備え、
前記第１パッキンは、前記補強用スペーサと重ならない位置に配置され、
前記第２パッキンは、前記第１パッキンよりも前記開口窓部の外周端側の位置に配置されることを特徴とする業務用冷蔵庫。
【請求項６】
前記第１パッキンおよび前記第２パッキンは、
前記本体の左右方向または上下方向を基準として、
前記開口窓部の外周端から前記本体の外周端までの第１最短直線距離と、前記第１最短直線距離と逆側における前記開口窓部の外周端から前記本体の外周端までの第２最短直線距離と、のうち長いほうの距離を備える側に備えられることを特徴とする請求項５に記載の業務用冷蔵庫。
【請求項７】
前記本体は、取っ手を備え、
前記第１パッキンおよび前記第２パッキンは、前記取っ手の備えられる側に備えられることを特徴とする請求項５または請求項６に記載の業務用冷蔵庫。
【請求項８】
前記第１パッキンおよび前記第２パッキンは、隣り合う別の窓付き扉が存在する側に備えられることを特徴とする請求項５から請求項７の何れか一項に記載の業務用冷蔵庫。
【発明の詳細な説明】
【技術分野】
【０００１】
本発明は、窓付き扉および業務用冷蔵庫に関する。
【背景技術】
【０００２】
従来、例えば業務用冷蔵庫等の貯蔵庫に備えられる窓付き扉では、窓部分に複層ガラスを用いるものが知られている。
この種の窓付き扉に備えられる複層ガラスでは、その内部４辺に補強用スペーサを有するものがある。そして、扉に設けられる発泡材内に挿入される複層ガラスと発泡材とを遮断するパッキンを、例えば、複層ガラスの庫外側および庫内側に分離して備えるものがある（例えば、特許文献１参照）。
このように、パッキンを庫外側および庫内側に分離して備える場合、補強用スペーサと庫外側のパッキンとを離して配置することにより、補強用スペーサを介して庫外側のパッキンが冷却され、これにより複層ガラスが結露することを抑制しうる。
【先行技術文献】
【特許文献】
【０００３】
【特許文献１】特許第４１８９３６３号公報
【発明の概要】
【発明が解決しようとする課題】
【０００４】
しかしながら、複層ガラスの結露防止のためにパッキンを庫外側および庫内側に分離し、補強用スペーサと庫外側のパッキンとを離して配置する場合、庫外側のパッキンが複層ガラスの中央部よりに配置されることになる。
そのため、窓付き扉の窓部分が小さくなり、貯蔵庫庫内を視認可能な範囲が狭くなるため、未だ改善の余地があった。
本発明は、前記従来の課題を解決するもので、窓付き扉のガラスが結露することを抑制するとともに、貯蔵庫庫内を視認可能な範囲を広くすることを目的とする。
【課題を解決するための手段】
【０００５】
上記目的を達成するために、本発明は、貯蔵庫に備えられる窓付き扉であって、開口窓部を備える本体と、前記開口窓部に設けられ、内部の端部に補強用スペーサを備え、庫内を視認可能な複層ガラスと、前記複層ガラスの庫外側に設けられる第１パッキンと、前記複層ガラスの庫内側に設けられる第２パッキンと、を備え、前記第１パッキンは、前記補強用スペーサと重ならない位置に配置され、前記第２パッキンは、前記第１パッキンよりも前記開口窓部の外周端側の位置に配置されることを特徴とする。
【発明の効果】
【０００６】
本発明によれば、複層ガラスの庫外側に設けられる第１パッキンと補強用スペーサとが重ならないため、補強用スペーサを介して第１パッキンが冷却され、複層ガラスの庫外側が結露することを抑制することができるとともに、複層ガラスの庫外側に設けられる第１パッキンよりも複層ガラスの庫内側に設けられる第２パッキンが開口窓部の外周端側に位置するため、貯蔵庫庫内を視認可能な範囲を広げることが可能な窓付き扉を提供できる。
【図面の簡単な説明】
【０００７】
【図１】本発明の実施形態に係る業務用冷蔵庫の正面図
【図２】図１における窓付き扉のＸ−Ｘ断面図
【発明を実施するための形態】
【０００８】
第１の発明における窓付き扉は、貯蔵庫に備えられる窓付き扉であって、開口窓部を備える本体と、前記開口窓部に設けられ、内部の端部に補強用スペーサを備え、庫内を視認可能な複層ガラスと、前記複層ガラスの庫外側に設けられる第１パッキンと、前記複層ガラスの庫内側に設けられる第２パッキンと、を備え、前記第１パッキンは、前記補強用スペーサと重ならない位置に配置され、前記第２パッキンは、前記第１パッキンよりも前記開口窓部の外周端側の位置に配置されることを特徴とする。
この発明によれば、複層ガラスの庫外側に設けられる第１パッキンと補強用スペーサとが重ならないため、補強用スペーサを介して第１パッキンが冷却され、複層ガラスの庫外側が結露することを抑制することができるとともに、複層ガラスの庫外側に設けられる第１パッキンよりも複層ガラスの庫内側に設けられる第２パッキンが開口窓部の外周端側に位置するため、貯蔵庫庫内を視認可能な範囲を広げることが可能な窓付き扉を提供できる。
【０００９】
第２の発明における窓付き扉は、第１の発明における窓付き扉において、前記第１パッキンおよび前記第２パッキンは、前記本体の左右方向または上下方向を基準として、前記開口窓部の外周端から前記本体の外周端までの第１最短直線距離と、前記第１最短直線距離と逆側における前記開口窓部の外周端から前記本体の外周端までの第２最短直線距離と、のうち長いほうの距離を備える側に備えられることを特徴とする。
開口窓部の外周端から本体の外周端までの距離が長い場合、本体の左右方向または上下方向の長さが長くなる。本体を介して貯蔵庫庫内を視認することはできないため、本体の左右方向または上下方向の長さが長い側においては、複層ガラスにより貯蔵庫庫内を視認可能な範囲が狭くなる。
本発明によれば、複層ガラスにより貯蔵庫庫内を視認可能な範囲が狭くなる側について、貯蔵庫庫内を視認可能な範囲を広げることができる。
【００１０】
第３の発明における窓付き扉は、第１の発明または第２の発明における窓付き扉において、前記本体は、取っ手を備え、前記第１パッキンおよび前記第２パッキンは、前記取っ手の備えられる側に備えられることを特徴とする。
取っ手を備える場合、本体部分の面積が大きく必要となる。本発明によれば、取っ手を備えることにより本体部分の面積が大きく必要となる側について、貯蔵庫庫内を視認可能な範囲を広げることができる。
【００１１】
第４の発明における窓付き扉は、第１の発明から第３の発明におけるいずれかの窓付き扉において、前記本体を複数備え、前記第１パッキンおよび前記第２パッキンは、隣り合う別の窓付き扉が存在する側に備えられることを特徴とする。
隣り合う別の窓付き扉が存在する側は、貯蔵庫の中央部側であり、この発明によれば、貯蔵庫の中央部側に向けて貯蔵庫庫内を視認可能な範囲を広げることができる。
【００１２】
第５の発明における業務用冷蔵庫は、窓付き扉を備える業務用冷蔵庫であって、前記窓付き扉は、開口窓部を備える本体と、前記開口窓部に設けられ、内部４辺に補強用スペーサを備え、庫内を視認可能な複層ガラスと、前記複層ガラスの庫外側に設けられる第１パッキンと、前記複層ガラスの庫内側に設けられる第２パッキンと、を備え、前記第１パッキンは、前記補強用スペーサと重ならない位置に配置され、前記第２パッキンは、前記第１パッキンよりも前記開口窓部の外周端側の位置に配置されることを特徴とする。
この発明によれば、複層ガラスの庫外側に設けられる第１パッキンと補強用スペーサとが重ならないため、補強用スペーサを介して第１パッキンが冷却され、複層ガラスの庫外側が結露することを抑制することができるとともに、複層ガラスの庫外側に設けられる第１パッキンよりも複層ガラスの庫内側に設けられる第２パッキンが開口窓部の外周端側に位置するため、業務用冷蔵庫庫内を視認可能な範囲を広げることが可能となる。
【００１３】
第６の発明における業務用冷蔵庫は、第５の発明における業務用冷蔵庫において、前記第１パッキンおよび前記第２パッキンは、前記本体の左右方向または上下方向を基準として、前記開口窓部の外周端から前記本体の外周端までの第１最短直線距離と、前記第１最短直線距離と逆側における前記開口窓部の外周端から前記本体の外周端までの第２最短直線距離と、のうち長いほうの距離を備える側に備えられることを特徴とする。
開口窓部の外周端から本体の外周端までの距離が長い場合、本体の左右方向または上下方向の長さが長くなる。本体を介して業務用冷蔵庫庫内を視認することはできないため、本体の左右方向または上下方向の長さが長い側においては、複層ガラスにより業務用冷蔵庫庫内を視認可能な範囲が狭くなる。
本発明によれば、複層ガラスにより業務用冷蔵庫庫内を視認可能な範囲が狭くなる側について、業務用冷蔵庫庫内を視認可能な範囲を広げることができる。
【００１４】
第７の発明における業務用冷蔵庫は、第５の発明または第６の発明における業務用冷蔵庫において、前記本体は、取っ手を備え、前記第１パッキンおよび前記第２パッキンは、前記取っ手の備えられる側に備えられることを特徴とする。
取っ手を備える場合、本体部分の面積が大きく必要となる。本発明によれば、取っ手を備えることにより本体部分の面積が大きく必要となる側について、業務用冷蔵庫庫内を視認可能な範囲を広げることができる。
【００１５】
第８の発明における業務用冷蔵庫は、第５の発明から第７の発明におけるいずれかの業務用冷蔵庫において、前記第１パッキンおよび前記第２パッキンは、隣り合う別の窓付き扉が存在する側に備えられることを特徴とする。
隣り合う扉が存在する側は、業務用冷蔵庫の中央部側であり、この発明によれば、業務用冷蔵庫の中央部側に向けて庫内を視認可能な範囲を広げることができる。
【００１６】
以下、本発明の実施の形態について、図面を参照しながら説明する。なお、本実施の形態によって本発明が限定されるものではない。
【００１７】
図１は、本実施の形態に係る業務用冷蔵庫１の正面図である。また、図２は、図１における業務用冷蔵庫１に設けられる窓付き扉１０のＸ−Ｘ断面図である。なお、図１における業務用冷蔵庫１の正面図を基準として、右側を右、左側を左、上側を上、下側を下、手前側を前、奥側を後ろと定義する。
本発明に係る窓付き扉１０は、本実施の形態に係る業務用冷蔵庫１に限らず、例えば、種々の冷蔵庫や冷凍庫等に適用可能である。
【００１８】
図１に示すように、本実施の形態に係る業務用冷蔵庫（貯蔵庫）１は、上段と下段に分かれている。上段、下段ともに、左右対称に一対の窓付き扉１０が備えられている。
上段の右側には、窓付き扉１０Ａが備えられる。上段の左側には、窓付き扉１０Ｂが備えられる。下段の右側には、窓付き扉１０Ｃが備えられる。下段の左側には、窓付き扉１０Ｄが備えられる。
【００１９】
本実施の形態では、窓付き扉１０Ａに基づき説明する。
窓付き扉１０Ａは、開口窓部２０が設けられた本体２２を備える。また、窓付き扉１０Ａは、内部４辺に後述する補強用スペーサ３６を備える複層ガラス３０を備える。複層ガラス３０は、開口窓部２０に設けられている。
【００２０】
図１または図２に示すように、複層ガラス３０の庫外側には、複層ガラス３０の端縁に沿って、全周に渡り第１パッキン３２が備えられている。複層ガラス３０の庫内側には、複層ガラス３０の端縁に沿って、全周に渡り第２パッキン３４が備えられている。
【００２１】
本体２２であって、開口窓部２０よりも業務用冷蔵庫１の中央部側には、本体中央部２１が形成されている。本体中央部２１は、取っ手４０を備える。本実施の形態における窓付き扉１０は、取っ手４０により開閉可能な観音開き形式の扉とされている。
本体２２であって、開口窓部２０よりも業務用冷蔵庫１の端部側には、本体端部２３が形成されている。
【００２２】
図１に示すように、開口窓部２０の左外周端（開口窓部の外周端）２０Ａから本体２２の左外周端（本体の外周端）２２Ａまでにおける最短の直線距離を第１最短直線距離Ａとする。本実施の形態では、本体中央部２１の左右方向の長さが、第１最短直線距離Ａとなる。
また、開口窓部２０の右外周端（開口窓部の外周端）２０Ｂから本体２２の右外周端（本体の外周端）２２Ｂまでにおける最短の直線距離を第２最短直線距離Ｂとする。本実施の形態では、本体端部２３の左右方向の長さが、第２最短直線距離Ｂとなる。
本体２２には、第１最短直線距離Ａが第２最短直線距離Ｂよりも長くなるように、開口窓部２０が形成されている。
すなわち、本体中央部２１の左右方向の長さは、本体端部２３の左右方向の長さよりも長く構成されている。
【００２３】
図２に示すように、複層ガラス３０は、業務用冷蔵庫１の庫外側に備えられる第１ガラス３１と、業務用冷蔵庫１の庫内側に備えられる第２ガラス３５と、を備える。また、第１ガラス３１と第２ガラス３５との間には、補強用スペーサ３６が備えられている。この補強用スペーサ３６は、複層ガラス３０の内部４辺の周端部に備えられる。この補強用スペーサ３６は、アルミニウムにより形成されている。
【００２４】
図２に示すように、本体２２は、発泡材３８を備える。
開口窓部２０の左外周端２０Ａおよび開口窓部２０の右外周端２０Ｂには、それぞれ凹部３３が形成されている。凹部３３には、複層ガラス３０の周端部がはめ込まれている。複層ガラス３０が開口窓部２０に設けられたとき、複層ガラス３０の周端部に備えられる補強用スペーサ３６は、凹部３３の内部に位置している。
【００２５】
第２パッキン３４は、補強用スペーサ３６と投影面上において重なる位置に配置されている。すなわち、業務用冷蔵庫１の正面視において、第２パッキン３４と補強用スペーサ３６とは、前後方向に重なる位置に配置されている。また、第２パッキン３４は、投影面上において、補強用スペーサ３６より複層ガラス３０の中心側に配置されている。第２パッキン３４は、補強用スペーサ３６と同程度に、開口窓部２０の左外周端２０Ａまたは開口窓部２０の右外周端２０Ｂの側に配置されている。
【００２６】
第１パッキン３２は、本体５０と、本体５０から延びるヒダ部５１と、を備える。
本体中央部２１側に位置する第１パッキン３２Ａは、投影面上において、補強用スペーサ３６と重ならない位置に配置されている。すなわち、業務用冷蔵庫１の正面視において、第１パッキン３２Ａと補強用スペーサ３６とは、前後方向に重ならない位置に配置されている。
また、本体中央部２１側に位置する第２パッキン３４は、第１パッキン３２Ａよりも本体中央部２１側、すなわち、開口窓部２０の左外周端２０Ａ側の位置に配置されている。
【００２７】
また、図２に示すように、本体中央部２１側に位置する第１パッキン３２Ａは、投影面上において、本体中央部２１側に位置する第２パッキン３４と重ならない位置に配置されている。すなわち、業務用冷蔵庫１の正面視において、第１パッキン３２Ａと第２パッキン３４とは、前後方向に重ならない位置に配置されている。
投影面上において、補強用スペーサ３６より複層ガラス３０の中心側に配置される第２パッキン３４よりも、さらに複層ガラス３０の中心側に第１パッキン３２Ａを配置することにより、第１パッキン３２Ａと補強用スペーサ３６との間に間隔が設けられる。これにより、補強用スペーサ３６を介して庫内の冷気により第１パッキン３２Ａが冷却され、複層ガラス３０の庫外側が結露することがより抑制される。さらに、第２パッキン３４は、補強用スペーサ３６と投影面上において重なり合う程度に開口窓部２０の左外周端２０Ａ側に配置されるので、第１パッキン３２Ａより左外周端２０Ａ側に配置されることとなり、庫外側から窓付き扉１０を見た場合、点線Ｃで示すように、実際に視認可能な業務用冷蔵庫１内部の範囲を広げることができる。
なお、本実施形態では第１パッキン３２Ａと補強用スペーサ３６とが重ならない位置に配置される場合について説明したが、少なくとも結露の影響が大きい第１パッキン３２Ａに備えられる本体５０が第２パッキン３４と投影面上において重ならないように配置されていればよい。換言すると、投影面上において、第１パッキン３２Ａに備えられるヒダ部５１と、第２パッキン３４とが、投影面上において重なるように第１パッキン３２Ａを配置してもよい。このような配置によれば、正面視での業務用冷蔵庫１内の視認可能な範囲をより広げることができる。
【００２８】
本体端部２３側に位置する第１パッキン３２Ｂは、第１パッキン３２Ｂに備えられる本体５０が第２パッキン３４と投影面上において重ならないように配置されている。換言すると、第１パッキン３２Ｂに備えられるヒダ部５１と、第２パッキン３４とが、投影面上において重なる位置に配置されている。
第１パッキン３２Ｂと、補強用スペーサ３６とは、投影面上において重なる位置に配置してもよい。
なお、本体端部２３側に位置する第１パッキン３２Ｂも、本体中央部２１側に位置する第１パッキン３２Ａと同様に、業務用冷蔵庫１の正面視において、補強用スペーサ３６と重ならない位置に配置され、かつ、第２パッキン３４よりも複層ガラス３０の中央側の位置に配置してもよい。
【００２９】
次に、本実施形態の作用について説明する。
本実施の形態によれば、複層ガラス３０の庫外側に設けられる第１パッキン３２Ａと補強用スペーサ３６とが、業務用冷蔵庫１の正面視において重ならないため、補強用スペーサ３６を介して業務用冷蔵庫１における庫内側の冷気により第１パッキン３２Ａが冷却され、複層ガラス３０の庫外側が結露することが抑制される。
また、図２に矢印Ｄに示すように、庫外側から窓付き扉１０を見た場合、第１パッキン３２Ａよりも第２パッキン３４が開口窓部２０の左外周端２０Ａ側に位置するため、点線Ｃで示すように、実際に視認可能な業務用冷蔵庫１内部の範囲が広がることとなる。
【００３０】
以上説明したように、本実施の形態に窓付き扉１０は、業務用冷蔵庫１に備えられており、開口窓部２０を備える本体２２と、開口窓部２０に設けられ、内部４辺に補強用スペーサ３６を備え、庫内を視認可能な複層ガラス３０と、複層ガラス３０の庫外側に設けられる第１パッキン３２Ａと、複層ガラス３０の庫内側に設けられる第２パッキン３４と、を備え、第１パッキン３２Ａは、補強用スペーサ３６と重ならない位置に配置され、第２パッキン３４は、第１パッキン３２Ａよりも開口窓部２０の左外周端２０Ａ側の位置に配置される。
この構成によれば、複層ガラス３０の庫外側に設けられる第１パッキン３２Ａと補強用スペーサ３６とが重ならないため、補強用スペーサ３６を介して第１パッキン３２Ａが冷却され、複層ガラス３０の庫外側が結露することを抑制することができるとともに、第１パッキン３２Ａよりも第２パッキン３４が開口窓部２０の左外周端２０Ａ側に位置するため、業務用冷蔵庫１内部を視認可能な範囲を広げることができる。
【００３１】
また、本実施の形態によれば、第１パッキン３２Ａおよび第２パッキン３４は、本体２２の左右方向を基準として、開口窓部２０の左外周端２０Ａから本体２２の左外周端２２Ａまでの第１最短直線距離Ａと、第１最短直線距離Ａと逆側における開口窓部２０の右外周端２０Ｂから本体２２の右外周端２２Ｂまでの第２最短直線距離Ｂと、のうち長いほうの距離である第１最短直線距離Ａを有する本体中央部２１の側に備えられる。
この構成によれば、複層ガラス３０により業務用冷蔵庫１の庫内を視認可能な範囲が狭くなる本体中央部２１の側においても、庫内を視認可能な範囲を広げることができる。
【００３２】
なお、図２に示すように、例えば、第１パッキン３２Ａおよび第２パッキン３４は、本体２２の上下方向を基準として、開口窓部２０の上外周端２０Ｅから本体２２の上外周端２２Ｅまでの第１最短直線距離Ｅと、第１最短直線距離Ｅと逆側における開口窓部２０の下外周端２０Ｆから本体２２の下外周端２２Ｆまでの第２最短直線距離Ｆと、のうち長いほうの距離を有する本体２２の側に備えてもよい。
この場合においても、業務用冷蔵庫１の庫内を視認可能な範囲が狭くなる側においても、庫内を視認可能な範囲を広げることができる。
【００３３】
また、本実施の形態によれば、本体２２のうち本体中央部２１は、取っ手４０を備え、第１パッキン３２Ａおよび第２パッキン３４は、取っ手４０の備えられる側に備えられる。
取っ手４０を備える場合、取っ手４０の幅以上の幅を本体中央部２１に設ける必要があることから、本体中央部２１の幅方向の長さが少なくとも取っ手４０の幅以上に長く必要となる。この場合、取っ手４０を設けた本体中央部２１の側では、庫内を視認可能な範囲が狭くなる。
この構成によれば、取っ手４０を備えることにより本体２２部分の幅方向の長さが長く必要となる本体中央部２１の側について、業務用冷蔵庫１の庫内を視認可能な範囲を広げることができる。
【００３４】
また、本実施の形態によれば、窓付き扉１０Ａに備えられる第１パッキン３２Ａおよび第２パッキン３４は、複層ガラス３０のうち、隣り合う別の窓付き扉１０Ｂが存在する側に備えられる。
隣り合う別の窓付き扉１０Ｂが存在する側は、業務用冷蔵庫１の中央部側であり、この構成によれば、業務用冷蔵庫１の中央部側に向けて業務用冷蔵庫１庫内を視認可能な範囲を広げることができる。
なお、窓付き扉１０Ａに備えられる第１パッキン３２Ａおよび第２パッキン３４は、複層ガラス３０のうち、隣り合う窓付き扉１０Ｃが存在する側に備えてもよいことは勿論である。
【００３５】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【符号の説明】
【００３６】
１  業務用冷蔵庫（貯蔵庫）
１０、１０Ａ、１０Ｂ、１０Ｃ、１０Ｄ  窓付き扉
２０  開口窓部
２０Ａ  開口窓部の左外周端（開口窓部の外周端）
２０Ｂ  開口窓部の右外周端（開口窓部の外周端）
２１  本体中央部
２２  本体
２２Ａ  本体の左外周端（本体の外周端）
２２Ｂ  本体の右外周端（本体の外周端）
２３  本体端部
３０  複層ガラス
３２、３２Ａ、３２Ｂ  第１パッキン
３４  第２パッキン
３６  補強用スペーサ
４０  取っ手
Ａ  第１最短直線距離
Ｂ  第２最短直線距離
【図１】
2019007685.tif 000003
【図２】
2019007685.tif 000004